(57)【要約】      （修正有）【課題】外観品質を向上させると共に、副収納部の開閉の際の使い勝手が良好で、かつ副収納部への収納物、特に電子機器を損傷させることなく収納し持ち運びできるフロントオープン型キャリーケースを提供する。【解決手段】全体略直方体状の主収納部１１と、上記主収納部１１の厚さ方向外側部に配置された副収納部１２とを備えたキャリーケースであって、上記副収納部１２の表面部は、上記主収納部１１の表面部と面一に形成されている。さらに、上記主収納部１１は、一対の箱状ハーフ１５、１６から成り、上記副収納部１２は、一方の箱状ハーフ１５の厚さ方向外側部に設けられた開口部と、上記開口部を被覆可能に設けられた薄厚平面状の蓋体２５により形成され、上記開口部周縁に設けられたファスナー部により開閉可能に形成されている。【選択図】図２
0003183329.tif 000002
【実用新案登録請求の範囲】
【請求項１】
全体略直方体状の主収納部と、上記主収納部の厚さ方向外側部に配置された副収納部とを備えたキャリーケースであって、上記副収納部の表面部は、上記主収納部の表面部と面一に形成されていることを特徴とするフロントオープン型キャリーケース。
【請求項２】
上記主収納部は、一対の箱状ハーフから成り、上記副収納部は、一方の箱状ハーフの厚さ方向外側部に設けられた開口部と、上記開口部を被覆可能に設けられた薄厚平面状の蓋体により形成され、上記開口部周縁に設けられたファスナー部により開閉可能に形成されていることを特徴とする請求項１記載のフロントオープン型キャリーケース。
【請求項３】
上記蓋体は、上記一方の箱状ハーフに対して下端部に設けられた開閉軸部を介して取り付けられていると共に、上記開口部の幅方向両端部と上記蓋体の幅方向両端部との間には、上記蓋体を開放した際にストッパーとして作用する一対のマチ部が設けられていることを特徴とする請求項２記載のフロントオープン型キャリーケース。
【請求項４】
上記主収納部は、他方の箱状ハーフの上端部に設けられた取手部と、上記一対の箱状ハーフの底面部に設けられたキャスターとを備え、上記一対の箱状ハーフの接合部は、上記接合部周縁に設けられた開口部により開閉可能に形成されていることを特徴とする請求項１記載のフロントオープン型キャリーケース。
【請求項５】
上記副収納部は、クッション部材を有し、電子機器を収納する収納部を備えていることを特徴とする請求項２記載のフロントオープン型キャリーケース。
【請求項６】
上記収納部は、上記主収納部と上記副収納部とを画成する隔壁部に設けられていることを特徴とする請求項５記載のフロントオープン型キャリーケース。
【考案の詳細な説明】
【技術分野】
【０００１】
本考案は、電子機器の収納に適したフロントオープン型のキャリーケースに関するものである。
【背景技術】
【０００２】
今日、事業の地方進出や海外進出による地方及び海外出張者の増加、または、国内旅行客数や海外旅行客数の増加により、キャリーケースの需要は増加しているため、使い勝手が良く、カジュアルなキャリーケースが多く流通している。
使い勝手の良さとしては、衣類やパソコン等の比較的大きな物から、財布や携帯電話、飲食物等の比較的小さな物まで、種々の物を収納できるスペースが設けられていることや、物の出し入れが容易にできること等が挙げられる。
【０００３】（公序良俗違反につき、不掲載）【０００４】（公序良俗違反につき、不掲載）【０００５】
このような観点から、上記キャリーケースについては、様々な発明または考案がなされている。例えば、副収納部の開口部を主収納部のフロントに設け、キャリーケースを寝かせずに小物を容易に取り出し可能にしたもの（特許文献１参照）、また副収納部を主収納部のフロント外部に取付け、同様にキャリーケースを寝かせずに収納物の出し入れを容易にしたもの（特許文献２から４参照）、さらに、キャリーケース主収納部のフロントにパソコンを収納する別体のバッグを取付け、パソコンの出し入れを便利にしたもの（特許文献５参照）等が知られている。
【特許文献１】実用新案登録第３１６３１３７号公報
【特許文献２】特許第３７９３０６６号公報
【特許文献３】実用新案登録第３０８２４２７号公報
【特許文献４】実用新案登録第３１６８９７２号公報
【特許文献５】特開２０１０−０３５９６７号公報
【考案の開示】
【考案が解決しようとする課題】
【０００６】  しかしながら、特許文献１にあっては、副収納部の開口部は、側面視した際、上面部から底面部側にかけてファスナー部がフロント側に傾斜して形成されていることから主収納部の開口部を形成するフレーム部のラインと平行にならず、デザイン性の点で外観品質が良好でないと共に、厚さ方向の斜めにファスナーを動かさざるを得ないことから、使い勝手が良くないという不具合があった。また、特許文献２〜５にあっては、副収納部を主収納部のフロント外部に突出させて設けていることから、キャリーケースの移動中に他の物にぶつかりやすく、内部の収納物、特にパソコンや（公序良俗違反につき、不掲載）が衝撃により損傷する可能性が大きい等の不具合があった。【０００７】
本考案は、このような従来からの不具合を解決するためのものであり、外観品質を向上させると共に、副収納部の開閉の際の使い勝手が良好で、かつ副収納部への収納物、特に電子機器を損傷させることなく収納し持ち運びできるフロントオープン型キャリーケースを提供することにある。
【課題を解決するための手段】
【０００８】
上記課題達成のため、請求項１記載の考案にあっては、全体略直方体状の主収納部と、上記主収納部の厚さ方向外側部に配置された副収納部とを備えたキャリーケースであって、上記副収納部の表面部は、上記主収納部の表面部と面一に形成されていることを特徴とする。
【０００９】
請求項２記載の考案にあっては、上記主収納部は、一対の箱状ハーフから成り、上記副収納部は、一方の箱状ハーフの厚さ方向外側部に設けられた開口部と、上記開口部を被覆可能に設けられた薄厚平面状の蓋体により形成され、上記開口部周縁に設けられたファスナー部により開閉可能に形成されていることを特徴とする。
【００１０】
請求項３記載の考案にあっては、上記蓋体は、上記一方の箱状ハーフに対して下端部に設けられた開閉軸部を介して取り付けられていると共に、上記開口部の幅方向両端部と上記蓋体の幅方向両端部との間には、上記蓋体を開放した際にストッパーとして作用する一対のマチ部が設けられていることを特徴とする。
【００１１】
請求項４記載の考案にあっては、上記主収納部は、他方の箱状ハーフの上端部に設けられた取手部と、上記一対の箱状ハーフの底面部に設けられたキャスターとを備え、上記一対の箱状ハーフの接合部は、上記接合部周縁に設けられた開口部により開閉可能に形成されていることを特徴とする。
【００１２】
請求項５記載の考案にあっては、上記副収納部は、クッション部材を有し、電子機器を収納する収納部を備えていることを特徴とする。
【００１３】
請求項６記載の考案にあっては、上記収納部は、上記主収納部と上記副収納部とを画成する隔壁部に設けられていることを特徴とする。
【考案の効果】
【００１４】
請求項１から２記載の考案にあっては、主収納部の厚さ方向外側部に配置された副収納部の表面部は、上記主収納部の表面部と面一に形成され、上記副収納部は、厚さ方向外側部に設けられた開口部と、上記開口部を被覆可能に設けられた薄厚平面状の蓋体により形成されている。
したがって、デザイン性の点で外観品質を向上させることができると共に、副収納部の開閉の際の使い勝手が良好になる。また、上記副収納部の表面部は、上記主収納部の表面部と面一に形成されているため、キャリーケースの移動中に、主収納部から副収納部が突出しているため、他の物にぶつかるという事態を防止できる。
その結果、内部の収納物を損傷させることなく収納し持ち運びできる。
【００１５】
請求項３記載の考案にあっては、上記蓋体は、上記一方の箱状ハーフに対して下端部に設けられた開閉軸部を介して取り付けられていると共に、上記収納内部の幅方向両端部と上記蓋体の幅方向両端部との間には、上記蓋体を開放した際にストッパーとして作用するマチ部が設けられている。
したがって、請求項１から２記載の考案の効果に加えて、上記蓋体を開放した際に、上記蓋体は、開閉軸部及び一対のマチ部がストッパーとして作用することから、開放角度は一定の角度に規制される。
その結果、上記蓋体が床に接触することはないため、損傷または汚れの付着を防止することができると共に、収納物が不用意に飛び出すことなく、かつスペースを広げずに収納物の出し入れが可能となる。
【００１６】  請求項４から５記載の考案にあっては、上記主収納部は、一対の箱状ハーフを備え、上記一対の箱状ハーフの接合部は、上記接合部周縁に設けられた開口部により開閉可能に形成されると共に、上記副収納部は、クッション部材を有し、電子機器を収納する収納部を備えている。  したがって、請求項１から３記載の考案の効果に加えて、収納スペースの広い上記主収納部には、衣類等の比較的大きな収納物を収納し、上記副収納部には、パソコンや（公序良俗違反につき、不掲載）等の電子機器、携帯電話やカメラ等の比較的出し入れ頻度の多い収納物を収納することができ、適宜選択することで、収納部を効率よく使用することができる。  さらに、上記クッション部材は柔軟性を有しているため、上記クッション部材に収納物が接触しても損傷するということはなく、収納物を確実に保護することができる。また、キャリーケース本体が移動中等に他の物にぶつかった場合であっても、クッション部材が衝撃を吸収し、収納した電子機器を保護することができる。【００１７】  請求項６記載の考案にあっては、上記収納部は、上記主収納部と上記副収納部とを画成する隔壁部に設けられている。  したがって、上記収納部にパソコンや（公序良俗違反につき、不掲載）等の電子機器を収納することで、外部からの衝撃を受けにくくすることができるため、請求項１から５記載の考案の効果に加えて、より確実に保護した状態で収納し持ち運びすることができる。
【図面の簡単な説明】
【００１８】
【図１】本考案に係るフロントオープン型キャリーケースの斜視図である。
【図２】本考案に係るフロントオープン型キャリーケースの副収納部を開放し、ポケット部にパソコンを収納した状態における一実施の形態を示す斜視図である。
【図３】本考案に係るフロントオープン型キャリーケースの副収納部を開放し、ポケット部に（公序良俗違反につき、不掲載）を収納した状態における他の実施の形態を示す斜視図である。
【考案を実施するための最良の形態】
【００１９】
以下、添付図面に示す実施の形態に基づき、本考案を詳細に説明する。
図１及び図２に示すように、本実施の形態に係るフロントオープン型キャリーケース１０は、全体略直方体状の主収納部１１と、主収納部１１の厚さ方向外側部に配置された副収納部１２とを備え、副収納部１２の表面部１３は、主収納部１１の表面部１４と面一に形成されている。
【００２０】
主収納部１１は、一対の箱状ハーフ１５、１６と、他方の箱状ハーフ１６の上端部１７に設けられた主収納部１１の長さ方向に沿って延接され、出し入れ可能な取手部１８と、一対の箱状ハーフ１５、１６の底面部１９に設けられた４個のキャスター２０、２０、２０、２０とを備え、一対の箱状ハーフ１５、１６の接合部２１は、接合部２１周縁に設けられた線ファスナー２２により開閉可能に形成された開口部２３が設けられている。
蓋体２５の周縁部２５ａ、２５ｂ、２５ｃ、２５ｄは、一対の箱状ハーフ１５、１６の周縁部１５ａ、１５ｂ、１５ｃ、１５ｄ、１６ａ、１６ｂ、１６ｃ、１６ｄと段差なく、同一平面上に配置されるように構成されている。
【００２１】
副収納部１２は、一方の箱状ハーフ１５の厚さ方向外側部に設けられた開口部２４と、開口部２４を被覆可能に設けられた薄厚平面状の蓋体２５により形成され、開口部２４周縁に設けられた線ファスナー２６により開閉可能に形成されている。
線ファスナー２６には、２つのランナー２６ａ、２６ｂが設けられ、長さ方向に沿って互いに反対方向へ移動させて、開口部２４を迅速に開放させることができるように構成されている。
【００２２】
図２は、本考案に係るフロントオープン型キャリーケース１０の副収納部１２を開放し、ポケット部３４にパソコン３３を収納した状態における一実施の形態を示す斜視図である。
図２に示すように、フロントオープン型キャリーケース１０の副収納部１２の蓋体２５は、薄厚平面状に形成され、一方の箱状ハーフ１５に対して下端部２７に設けられた開閉軸部２８を介して取り付けられる。
また、副収納部１２の開口部２４において、側面視した際、上面部１７から底面部１９側にかけて線ファスナー２６が、主収納部１１の開口部２３を形成する線ファスナー２２のラインと平行に形成されている。
したがって、従来とは異なり外観品質を向上させることができると共に、線ファスナー２６を一方の箱状ハーフ１５の長さ方向に沿って移動させることができるため、副収納部の開閉の際の使い勝手が良好になる。
【００２３】
主収納部１１と副収納部１２との境界部４６には、主収納部１１と副収納部１２とを画成する全体略長方形状の隔壁部４５が設けられている。
隔壁部４５は、平面長方形状の布材により形成され、一方の箱状ハーフ１５に形成された開口部２４全体を被覆する形で、その縁部が一方の箱状ハーフ１５の内周面部に縫合固定されている。
隔壁部４５の副収納部１２側には、ポケット部３４が設けられており、ポリウレタン樹脂性のクッション部材からなるポケット片２９が、隔壁部４５に縫合固定されている。ポケット片２９は、幅方向左右両側端部及び下端部が隔壁部４５に対して縫合固定され、上端部４７は開放されて開口部４８となっている。
開口部２４の幅方向両端部３０、３０と蓋体２５の幅方向両端部３１、３１との間には、一対のマチ部３２、３２が設けられている。
したがって、蓋体２５を開放した際に、蓋体２５は、開閉軸部２８及び一対のマチ部３２、３２がストッパーとして作用することから、開放角度αは一定の角度で規制されるため、蓋体２５が床に接触することはなく、損傷または汚れの付着を防止することができると共に、収納物が不用意に飛び出すことなく、かつスペースを広げずに収納物の出し入れが可能となる。
【００２４】
一対のマチ部３２、３２は、側面略逆三角形状に形成され、中間部３５、３５に蓋体２５の長さ方向に沿って設けられた長方形状の面ファスナー３６、３６により形成されている。
【００２５】
ポケット部３４は、幅方向両上端部３７側に設けられた長方形状からなる一対のベルト部３８、３８と、幅方向上端部３９の長さ方向中央に設けられた長方形状からなる面ファスナー４０とを備えている。
また、開口部２４の上縁部４１には、上縁部４１の幅方向中央から、ポケット片２９の長さ方向に沿って、長方形状のフラップ部４２を有し、フラップ部４２は、面ファスナー４３を有し、面ファスナー４０と面ファスナー４３は着脱可能に係止されるよう形成されている。
【００２６】
したがって、本実施の形態にあっては、ポケット部３４内にパソコン３３を収納することができる。面ファスナー４０に面ファスナー４３を係止させることで、フロントオープン型キャリーケース１０が大きな衝撃や急激な移動をした際であっても、パソコン３３をポケット部３４内に固定して収納することができることから、ポケット部３４に収納されたパソコン３３をより確実に保護した状態で収納し持ち運びすることができる。
また、パソコン３３は、旅行中に、仕事等の作業のため頻繁に取り出して作業することが多いが、副収納部１２を蓋体２５を開くことにより開放し、主収納部１１に収納した収納物に関わらず、容易かつ迅速に取り出して作業を行うことができる。
【００２７】
尚、フロントオープン型キャリーケース１０は、表面部１３、１４の素材により、ハードケースとソフトケースの大きく２種類に区別される。
ハードケースとは、PC（ポリカーボネート）やABS（アクロニトリル−ブタジエン−スチレン共重合）等の素材を使用したキャリーケースのことであり、硬度は金属並みに大きく、耐衝撃性が高いため頑丈であるため、収納物が多いときや重いときの使用に適している。また、ABSは表面の美感や印刷特性にも優れている。
【００２８】
一方、ソフトケースとは、ナイロンやPVC（ポリ塩化ビニル）等の素材を使用したキャリーケースのことであり、柔軟性に優れると共に、耐久性が高いため、収納物が少ないときや軽いときの使用に適している。
本実施の形態にあっては、使用者の使用実態により、ハードケースとソフトケース適宜選択することができる。
【００２９】
また、ポケット片２９は、ポリウレタン樹脂性であることにより、抗張力や耐摩耗性に優れている。
【００３０】
図３は、本考案に係るフロントオープン型キャリーケース５０の副収納部５１を開放し、ポケット部６４にiPad５２を収納した状態における他の実施の形態を示す斜視図である。上記第一の実施の形態と異なる点のみを説明する。
本実施の形態に係るフロントオープン型キャリーケース５０にあっては、第一のフロントオープン型キャリーケース１０における、一対の箱状ハーフ１５、１６の接合部２１周縁に設けられた線ファスナー２２により開閉可能に形成されていたのとは異なり、他方の箱状ハーフ５５の幅方向一端面部５６に設けられたフレームロック部材５４により開閉可能に形成されていると共に、主収納部６６は、他方の箱状ハーフ５５の上部６７に設けられた持手部６８と、側部６９に設けられた持手部７０とを備えている。
【００３１】
図３に示すように、ポケット部６４には、iPad５２が収納されているが、図２における場合と同様に、開口部５７の上縁部５８には、上縁部５８の幅方向中央から、ポケット片５９の長さ方向に沿って、長方形状のフラップ部６０を有し、フラップ部６０は、面ファスナー６１を有し、幅方向上端部６２の長さ方向中央に設けられた長方形状からなる面ファスナー６３と面ファスナー６１は着脱可能に係止されるよう形成されている。
【００３２】
したがって、本実施の形態にあっては、図２に示した場合と同様に、ポケット部６４内にiPad５２を収納することができる。面ファスナー６３に面ファスナー６１を係止させることで、フロントオープン型キャリーケース５０が大きな衝撃や急激な移動をした際であっても、iPad５２をポケット部６４内に固定して収納することができることから、ポケット部６４に収納されたiPad５２をより確実に保護した状態で収納し持ち運びすることができる。
また、iPad５２は、旅行中に、ガイドブックの代替や写真撮影等のため頻繁に取り出しすることが多いが、副収納部５１を蓋体６５を開くことにより開放し、主収納部６６に収納した収納物に関わらず、容易かつ迅速に取り出して作業を行うことができる。
【産業上の利用可能性】
【００３３】  従って、本考案に係るフロントオープン型キャリーケースは、パソコンや（公序良俗違反につき、不掲載）等の電子機器を損傷させることなく良好な状態で持ち運びすることができると共に、必要時には容易に出し入れできるため、産業上の利用可能性を有している。
【符号の説明】
【００３４】
１０  フロントオープン型キャリーケース
１１  主収納部
１２  副収納部
１３  表面部
１４  表面部
１５  一方の箱状ハーフ
１５ａ  周縁部
１５ｂ  周縁部
１５ｃ  周縁部
１５ｄ  周縁部
１６  他方の箱状ハーフ
１６ａ  周縁部
１６ｂ  周縁部
１６ｃ  周縁部
１６ｄ  周縁部
１７  上端部
１８  取手部
１９  底面部
２０  キャスター
２１  接合部
２２  線ファスナー
２３  開口部
２４  開口部
２５  蓋体
２５ａ  周縁部
２５ｂ  周縁部
２５ｃ  周縁部
２５ｄ  周縁部
２６  線ファスナー
２６ａ  ランナー
２６ｂ  ランナー
２７  下端部
２８  開閉軸部
２９  ポケット片
３０  幅方向両端部
３１  幅方向両端部
３２  マチ部
３３  パソコン
３４  ポケット部
３５  中間部
３６  面ファスナー
３７  幅方向両上端部
３８  ベルト部
３９  幅方向上端部
４０  面ファスナー
４１  上縁部
４２  フラップ部
４３  面ファスナー
４５  隔壁部
４６  境界部
４７  上端部
４８  開口部
５０  フロントオープン型キャリーケース
５１  副収納部
５２  iPad
５４  フレームロック部材
５５  他方の箱状ハーフ
５６  幅方向一端面部
５７  開口部
５８  上縁部
５９  ポケット片
６０  フラップ部
６１  面ファスナー
６２  幅方向上端部
６３  面ファスナー
６４  ポケット部
６５  蓋体
６６  主収納部
６７  上部
６８  持手部
６９  側部
７０  持手部
α  開放角度
【図１】
0003183329.tif 000003
【図２】
0003183329.tif 000004
【図３】
0003183329.tif 000005
【手続補正書】
【提出日】平成25年3月11日(2013.3.11)
【手続補正１】
【補正対象書類名】明細書
【補正対象項目名】全文
【補正方法】変更
【補正の内容】
【考案の詳細な説明】
【技術分野】
【０００１】
本考案は、電子機器の収納に適したフロントオープン型のキャリーケースに関するものである。
【背景技術】
【０００２】
今日、事業の地方進出や海外進出による地方及び海外出張者の増加、または、国内旅行客数や海外旅行客数の増加により、キャリーケースの需要は増加しているため、使い勝手が良く、カジュアルなキャリーケースが多く流通している。
使い勝手の良さとしては、衣類やパソコン等の比較的大きな物から、財布や携帯電話、飲食物等の比較的小さな物まで、種々の物を収納できるスペースが設けられていることや、物の出し入れが容易にできること等が挙げられる。
【０００３】
ところで、出張者の必需品と言えば、出張先や移動中においても業務を行うことができるパソコンやタブレット型コンピューター等が挙げられる。
また、旅行客においても、ガイドブックの代替品や写真撮影等を目的としてタブレット型コンピューターを携行している人は多いため、パソコンやタブレット型コンピューター等の電子機器をキャリーケースから容易に出し入れできることは、顕在的なニーズとなっている。
【０００４】
一方で、キャリーケースは、使用時は外部からの衝撃を受けやすく、パソコンやタブレット型コンピューター等の電子機器は、衝撃により損傷する可能性が大きい。
そのため、パソコンやタブレット型コンピューター等の電子機器を損傷させることなく、必要時には容易に出し入れできる状態で持ち運びすることは難しい。
【０００５】
このような観点から、上記キャリーケースについては、様々な発明または考案がなされている。例えば、副収納部の開口部を主収納部のフロントに設け、キャリーケースを寝かせずに小物を容易に取り出し可能にしたもの（特許文献１参照）、また副収納部を主収納部のフロント外部に取付け、同様にキャリーケースを寝かせずに収納物の出し入れを容易にしたもの（特許文献２から４参照）、さらに、キャリーケース主収納部のフロントにパソコンを収納する別体のバッグを取付け、パソコンの出し入れを便利にしたもの（特許文献５参照）等が知られている。
【特許文献１】実用新案登録第３１６３１３７号公報
【特許文献２】特許第３７９３０６６号公報
【特許文献３】実用新案登録第３０８２４２７号公報
【特許文献４】実用新案登録第３１６８９７２号公報
【特許文献５】特開２０１０−０３５９６７号公報
【考案の開示】
【考案が解決しようとする課題】
【０００６】
しかしながら、特許文献１にあっては、副収納部の開口部は、側面視した際、上面部から底面部側にかけてファスナー部がフロント側に傾斜して形成されていることから主収納部の開口部を形成するフレーム部のラインと平行にならず、デザイン性の点で外観品質が良好でないと共に、厚さ方向の斜めにファスナーを動かさざるを得ないことから、使い勝手が良くないという不具合があった。また、特許文献２〜５にあっては、副収納部を主収納部のフロント外部に突出させて設けていることから、キャリーケースの移動中に他の物にぶつかりやすく、内部の収納物、特にパソコンやタブレット型コンピューターが衝撃により損傷する可能性が大きい等の不具合があった。
【０００７】
本考案は、このような従来からの不具合を解決するためのものであり、外観品質を向上させると共に、副収納部の開閉の際の使い勝手が良好で、かつ副収納部への収納物、特に電子機器を損傷させることなく収納し持ち運びできるフロントオープン型キャリーケースを提供することにある。
【課題を解決するための手段】
【０００８】
上記課題達成のため、請求項１記載の考案にあっては、全体略直方体状の主収納部と、上記主収納部の厚さ方向外側部に配置された副収納部とを備えたキャリーケースであって、上記副収納部の表面部は、上記主収納部の表面部と面一に形成されていることを特徴とする。
【０００９】
請求項２記載の考案にあっては、上記主収納部は、一対の箱状ハーフから成り、上記副収納部は、一方の箱状ハーフの厚さ方向外側部に設けられた開口部と、上記開口部を被覆可能に設けられた薄厚平面状の蓋体により形成され、上記開口部周縁に設けられたファスナー部により開閉可能に形成されていることを特徴とする。
【００１０】
請求項３記載の考案にあっては、上記蓋体は、上記一方の箱状ハーフに対して下端部に設けられた開閉軸部を介して取り付けられていると共に、上記開口部の幅方向両端部と上記蓋体の幅方向両端部との間には、上記蓋体を開放した際にストッパーとして作用する一対のマチ部が設けられていることを特徴とする。
【００１１】
請求項４記載の考案にあっては、上記主収納部は、他方の箱状ハーフの上端部に設けられた取手部と、上記一対の箱状ハーフの底面部に設けられたキャスターとを備え、上記一対の箱状ハーフの接合部は、上記接合部周縁に設けられた開口部により開閉可能に形成されていることを特徴とする。
【００１２】
請求項５記載の考案にあっては、上記副収納部は、クッション部材を有し、電子機器を収納する収納部を備えていることを特徴とする。
【００１３】
請求項６記載の考案にあっては、上記収納部は、上記主収納部と上記副収納部とを画成する隔壁部に設けられていることを特徴とする。
【考案の効果】
【００１４】
請求項１から２記載の考案にあっては、主収納部の厚さ方向外側部に配置された副収納部の表面部は、上記主収納部の表面部と面一に形成され、上記副収納部は、厚さ方向外側部に設けられた開口部と、上記開口部を被覆可能に設けられた薄厚平面状の蓋体により形成されている。
したがって、デザイン性の点で外観品質を向上させることができると共に、副収納部の開閉の際の使い勝手が良好になる。また、上記副収納部の表面部は、上記主収納部の表面部と面一に形成されているため、キャリーケースの移動中に、主収納部から副収納部が突出しているため、他の物にぶつかるという事態を防止できる。
その結果、内部の収納物を損傷させることなく収納し持ち運びできる。
【００１５】
請求項３記載の考案にあっては、上記蓋体は、上記一方の箱状ハーフに対して下端部に設けられた開閉軸部を介して取り付けられていると共に、上記収納内部の幅方向両端部と上記蓋体の幅方向両端部との間には、上記蓋体を開放した際にストッパーとして作用するマチ部が設けられている。
したがって、請求項１から２記載の考案の効果に加えて、上記蓋体を開放した際に、上記蓋体は、開閉軸部及び一対のマチ部がストッパーとして作用することから、開放角度は一定の角度に規制される。
その結果、上記蓋体が床に接触することはないため、損傷または汚れの付着を防止することができると共に、収納物が不用意に飛び出すことなく、かつスペースを広げずに収納物の出し入れが可能となる。
【００１６】
請求項４から５記載の考案にあっては、上記主収納部は、一対の箱状ハーフを備え、上記一対の箱状ハーフの接合部は、上記接合部周縁に設けられた開口部により開閉可能に形成されると共に、上記副収納部は、クッション部材を有し、電子機器を収納する収納部を備えている。
したがって、請求項１から３記載の考案の効果に加えて、収納スペースの広い上記主収納部には、衣類等の比較的大きな収納物を収納し、上記副収納部には、パソコンやタブレット型コンピューター等の電子機器、携帯電話やカメラ等の比較的出し入れ頻度の多い収納物を収納することができ、適宜選択することで、収納部を効率よく使用することができる。
さらに、上記クッション部材は柔軟性を有しているため、上記クッション部材に収納物が接触しても損傷するということはなく、収納物を確実に保護することができる。また、キャリーケース本体が移動中等に他の物にぶつかった場合であっても、クッション部材が衝撃を吸収し、収納した電子機器を保護することができる。
【００１７】
請求項６記載の考案にあっては、上記収納部は、上記主収納部と上記副収納部とを画成する隔壁部に設けられている。
したがって、上記収納部にパソコンやタブレット型コンピューター等の電子機器を収納することで、外部からの衝撃を受けにくくすることができるため、請求項１から５記載の考案の効果に加えて、より確実に保護した状態で収納し持ち運びすることができる。
【図面の簡単な説明】
【００１８】
【図１】本考案に係るフロントオープン型キャリーケースの斜視図である。
【図２】本考案に係るフロントオープン型キャリーケースの副収納部を開放し、ポケット部にパソコンを収納した状態における一実施の形態を示す斜視図である。
【図３】本考案に係るフロントオープン型キャリーケースの副収納部を開放し、ポケット部にタブレット型コンピューターを収納した状態における他の実施の形態を示す斜視図である。
【考案を実施するための最良の形態】
【００１９】
以下、添付図面に示す実施の形態に基づき、本考案を詳細に説明する。
図１及び図２に示すように、本実施の形態に係るフロントオープン型キャリーケース１０は、全体略直方体状の主収納部１１と、主収納部１１の厚さ方向外側部に配置された副収納部１２とを備え、副収納部１２の表面部１３は、主収納部１１の表面部１４と面一に形成されている。
【００２０】
主収納部１１は、一対の箱状ハーフ１５、１６と、他方の箱状ハーフ１６の上端部１７に設けられた主収納部１１の長さ方向に沿って延接され、出し入れ可能な取手部１８と、一対の箱状ハーフ１５、１６の底面部１９に設けられた４個のキャスター２０、２０、２０、２０とを備え、一対の箱状ハーフ１５、１６の接合部２１は、接合部２１周縁に設けられた線ファスナー２２により開閉可能に形成された開口部２３が設けられている。
蓋体２５の周縁部２５ａ、２５ｂ、２５ｃ、２５ｄは、一対の箱状ハーフ１５、１６の周縁部１５ａ、１５ｂ、１５ｃ、１５ｄ、１６ａ、１６ｂ、１６ｃ、１６ｄと段差なく、同一平面上に配置されるように構成されている。
【００２１】
副収納部１２は、一方の箱状ハーフ１５の厚さ方向外側部に設けられた開口部２４と、開口部２４を被覆可能に設けられた薄厚平面状の蓋体２５により形成され、開口部２４周縁に設けられた線ファスナー２６により開閉可能に形成されている。
線ファスナー２６には、２つのランナー２６ａ、２６ｂが設けられ、長さ方向に沿って互いに反対方向へ移動させて、開口部２４を迅速に開放させることができるように構成されている。
【００２２】
図２は、本考案に係るフロントオープン型キャリーケース１０の副収納部１２を開放し、ポケット部３４にパソコン３３を収納した状態における一実施の形態を示す斜視図である。
図２に示すように、フロントオープン型キャリーケース１０の副収納部１２の蓋体２５は、薄厚平面状に形成され、一方の箱状ハーフ１５に対して下端部２７に設けられた開閉軸部２８を介して取り付けられる。
また、副収納部１２の開口部２４において、側面視した際、上面部１７から底面部１９側にかけて線ファスナー２６が、主収納部１１の開口部２３を形成する線ファスナー２２のラインと平行に形成されている。
したがって、従来とは異なり外観品質を向上させることができると共に、線ファスナー２６を一方の箱状ハーフ１５の長さ方向に沿って移動させることができるため、副収納部の開閉の際の使い勝手が良好になる。
【００２３】
主収納部１１と副収納部１２との境界部４６には、主収納部１１と副収納部１２とを画成する全体略長方形状の隔壁部４５が設けられている。
隔壁部４５は、平面長方形状の布材により形成され、一方の箱状ハーフ１５に形成された開口部２４全体を被覆する形で、その縁部が一方の箱状ハーフ１５の内周面部に縫合固定されている。
隔壁部４５の副収納部１２側には、ポケット部３４が設けられており、ポリウレタン樹脂性のクッション部材からなるポケット片２９が、隔壁部４５に縫合固定されている。ポケット片２９は、幅方向左右両側端部及び下端部が隔壁部４５に対して縫合固定され、上端部４７は開放されて開口部４８となっている。
開口部２４の幅方向両端部３０、３０と蓋体２５の幅方向両端部３１、３１との間には、一対のマチ部３２、３２が設けられている。
したがって、蓋体２５を開放した際に、蓋体２５は、開閉軸部２８及び一対のマチ部３２、３２がストッパーとして作用することから、開放角度αは一定の角度で規制されるため、蓋体２５が床に接触することはなく、損傷または汚れの付着を防止することができると共に、収納物が不用意に飛び出すことなく、かつスペースを広げずに収納物の出し入れが可能となる。
【００２４】
一対のマチ部３２、３２は、側面略逆三角形状に形成され、中間部３５、３５に蓋体２５の長さ方向に沿って設けられた長方形状の面ファスナー３６、３６により形成されている。
【００２５】
ポケット部３４は、幅方向両上端部３７側に設けられた長方形状からなる一対のベルト部３８、３８と、幅方向上端部３９の長さ方向中央に設けられた長方形状からなる面ファスナー４０とを備えている。
また、開口部２４の上縁部４１には、上縁部４１の幅方向中央から、ポケット片２９の長さ方向に沿って、長方形状のフラップ部４２を有し、フラップ部４２は、面ファスナー４３を有し、面ファスナー４０と面ファスナー４３は着脱可能に係止されるよう形成されている。
【００２６】
したがって、本実施の形態にあっては、ポケット部３４内にパソコン３３を収納することができる。面ファスナー４０に面ファスナー４３を係止させることで、フロントオープン型キャリーケース１０が大きな衝撃や急激な移動をした際であっても、パソコン３３をポケット部３４内に固定して収納することができることから、ポケット部３４に収納されたパソコン３３をより確実に保護した状態で収納し持ち運びすることができる。
また、パソコン３３は、旅行中に、仕事等の作業のため頻繁に取り出して作業することが多いが、副収納部１２を蓋体２５を開くことにより開放し、主収納部１１に収納した収納物に関わらず、容易かつ迅速に取り出して作業を行うことができる。
【００２７】
尚、フロントオープン型キャリーケース１０は、表面部１３、１４の素材により、ハードケースとソフトケースの大きく２種類に区別される。
ハードケースとは、PC（ポリカーボネート）やABS（アクロニトリル−ブタジエン−スチレン共重合）等の素材を使用したキャリーケースのことであり、硬度は金属並みに大きく、耐衝撃性が高いため頑丈であるため、収納物が多いときや重いときの使用に適している。また、ABSは表面の美感や印刷特性にも優れている。
【００２８】
一方、ソフトケースとは、ナイロンやPVC（ポリ塩化ビニル）等の素材を使用したキャリーケースのことであり、柔軟性に優れると共に、耐久性が高いため、収納物が少ないときや軽いときの使用に適している。
本実施の形態にあっては、使用者の使用実態により、ハードケースとソフトケース適宜選択することができる。
【００２９】
また、ポケット片２９は、ポリウレタン樹脂性であることにより、抗張力や耐摩耗性に優れている。
【００３０】
図３は、本考案に係るフロントオープン型キャリーケース５０の副収納部５１を開放し、ポケット部６４にiPad５２を収納した状態における他の実施の形態を示す斜視図である。上記第一の実施の形態と異なる点のみを説明する。
本実施の形態に係るフロントオープン型キャリーケース５０にあっては、第一のフロントオープン型キャリーケース１０における、一対の箱状ハーフ１５、１６の接合部２１周縁に設けられた線ファスナー２２により開閉可能に形成されていたのとは異なり、他方の箱状ハーフ５５の幅方向一端面部５６に設けられたフレームロック部材５４により開閉可能に形成されていると共に、主収納部６６は、他方の箱状ハーフ５５の上部６７に設けられた持手部６８と、側部６９に設けられた持手部７０とを備えている。
【００３１】
図３に示すように、ポケット部６４には、iPad５２が収納されているが、図２における場合と同様に、開口部５７の上縁部５８には、上縁部５８の幅方向中央から、ポケット片５９の長さ方向に沿って、長方形状のフラップ部６０を有し、フラップ部６０は、面ファスナー６１を有し、幅方向上端部６２の長さ方向中央に設けられた長方形状からなる面ファスナー６３と面ファスナー６１は着脱可能に係止されるよう形成されている。
【００３２】
したがって、本実施の形態にあっては、図２に示した場合と同様に、ポケット部６４内にiPad５２を収納することができる。面ファスナー６３に面ファスナー６１を係止させることで、フロントオープン型キャリーケース５０が大きな衝撃や急激な移動をした際であっても、iPad５２をポケット部６４内に固定して収納することができることから、ポケット部６４に収納されたiPad５２をより確実に保護した状態で収納し持ち運びすることができる。
また、iPad５２は、旅行中に、ガイドブックの代替や写真撮影等のため頻繁に取り出しすることが多いが、副収納部５１を蓋体６５を開くことにより開放し、主収納部６６に収納した収納物に関わらず、容易かつ迅速に取り出して作業を行うことができる。
【産業上の利用可能性】
【００３３】
従って、本考案に係るフロントオープン型キャリーケースは、パソコンやタブレット型コンピューター等の電子機器を損傷させることなく良好な状態で持ち運びすることができると共に、必要時には容易に出し入れできるため、産業上の利用可能性を有している。
【符号の説明】
【００３４】
１０  フロントオープン型キャリーケース
１１  主収納部
１２  副収納部
１３  表面部
１４  表面部
１５  一方の箱状ハーフ
１５ａ  周縁部
１５ｂ  周縁部
１５ｃ  周縁部
１５ｄ  周縁部
１６  他方の箱状ハーフ
１６ａ  周縁部
１６ｂ  周縁部
１６ｃ  周縁部
１６ｄ  周縁部
１７  上端部
１８  取手部
１９  底面部
２０  キャスター
２１  接合部
２２  線ファスナー
２３  開口部
２４  開口部
２５  蓋体
２５ａ  周縁部
２５ｂ  周縁部
２５ｃ  周縁部
２５ｄ  周縁部
２６  線ファスナー
２６ａ  ランナー
２６ｂ  ランナー
２７  下端部
２８  開閉軸部
２９  ポケット片
３０  幅方向両端部
３１  幅方向両端部
３２  マチ部
３３  パソコン
３４  ポケット部
３５  中間部
３６  面ファスナー
３７  幅方向両上端部
３８  ベルト部
３９  幅方向上端部
４０  面ファスナー
４１  上縁部
４２  フラップ部
４３  面ファスナー
４５  隔壁部
４６  境界部
４７  上端部
４８  開口部
５０  フロントオープン型キャリーケース
５１  副収納部
５２  iPad
５４  フレームロック部材
５５  他方の箱状ハーフ
５６  幅方向一端面部
５７  開口部
５８  上縁部
５９  ポケット片
６０  フラップ部
６１  面ファスナー
６２  幅方向上端部
６３  面ファスナー
６４  ポケット部
６５  蓋体
６６  主収納部
６７  上部
６８  持手部
６９  側部
７０  持手部
α  開放角度